(57)【要約】      （修正有）【課題】制御機及び居室親機間の配線の省線化を図る。【解決手段】集合玄関機１を制御機３及び省線化アダプタ４を経由して居室親機２ａ、２ｂ、・・・に接続するにあたり、制御機は、集合玄関機からの音声信号Ｓ2及び映像信号Ｓ3を重畳させて音声／映像重畳信号Ｓ4を生成し、音声／映像重畳信号と集合玄関機からのデータ信号Ｓ1とを、それぞれ異なる２線のデータ制御ラインＬ2a、２線の音声／映像制御ラインＬ2bを経由して居室親機に周波数分割多重で送信する。また、省線化アダプタのデータレベル調整部４００は、制御機からのデータ信号及び音声／映像重畳信号を重畳させるにあたり、データ信号の信号レベルを居室親機で受信可能な低レベルに調整した後、２線のアダプタラインＬ3を経由して居室親機に送信し、インピーダンスアッパー部４０１は、音声／映像重畳信号に対して高インピーダンスとなる。【選択図】図１
2010035102.tif 000002
【特許請求の範囲】
【請求項１】
集合玄関機（１）からのデータ信号を居室親機（２ａ、２ｂ、・・・）に送信して呼び出しを報知し、前記呼び出しに前記居室親機が応答して前記集合玄関機との間で音声信号を送受信させて通話を成立させるとともに、前記集合玄関機の映像撮像部（１０４）にて撮像された映像信号を前記居室親機に送信して映像表示部（２０３）に出画させるにあたり、
前記集合玄関機からの前記音声信号及び前記映像信号を重畳させて音声／映像重畳信号を生成し、前記音声／映像重畳信号と前記集合玄関機からの前記データ信号とを、それぞれ異なる２線のデータ制御ライン（Ｌ2a）、２線の音声／映像制御ライン（Ｌ2b）を経由して前記居室親機に周波数分割多重で送信するための制御機（３）を有する集合住宅インターホンシステムであって、
前記制御機及び前記居室親機間には、前記制御機からの前記データ信号及び前記音声／映像重畳信号を重畳させて２線のアダプタライン（Ｌ3）を経由して前記居室親機に送信するための省線化アダプタ（４）が備えられ、
前記省線化アダプタには、前記データ信号に前記音声信号／映像信号が重畳された際に発生するデータノイズ音を抑制するため、前記データ信号の信号レベルを前記居室親機で受信可能な低レベルに調整するためのデータレベル調整部（４００）を備えることを特徴とする集合住宅インターホンシステム。
【請求項２】
前記省線化アダプタには、前記制御機からの音声／映像重畳信号に対して高インピーダンスとなるインピーダンスアッパー部（４０１）を備えることを特徴とする請求項１記載の集合住宅インターホンシステム。
【請求項３】
前記居室親機は、前記省線化アダプタにて２線に省線化された前記データ信号と前記音声／映像重畳信号とを各２線に分離するための専用の機器を用いることなく、配線を単純に分配して前記各２線にし、前記データ信号の入力部と音声／映像重畳信号の入力部とにそれぞれ接続することを特徴とする請求項１又は請求項２記載の集合住宅インターホンシステム。
【請求項４】
前記省線化アダプタは、前記制御機に内蔵されることを特徴とする請求項１乃至請求項３のうち何れか１項記載の集合住宅インターホンシステム。
【発明の詳細な説明】
【技術分野】
【０００１】
本発明は、マンション等の集合住宅に設置される集合住宅インターホンシステムに係り、特に、配線の省線化が図られた集合住宅インターホンシステムに関する。
【背景技術】
【０００２】
従来から、図３のブロック図に示すように、制御機５０３を経由して集合玄関機５０１から（特定の）居室親機５０２ａ、５０２ｂ、・・・を呼び出し、音声信号を送受信して通話を成立させるとともに、集合玄関機５０１にて撮像された映像信号を（特定の）居室親機５０２ａ、５０２ｂ、・・・に出画させることができる集合住宅インターホンシステムが開示されている（例えば、非特許文献１を参照。）。
【０００３】
この集合住宅インターホンシステムにおいて、集合玄関機５０１及び制御機５０３間の配線の態様としては、集合玄関機５０１及び居室親機５０２ａ、５０２ｂ、・・・間で呼び出し等の制御用のデータ信号を送受信する２線のデータラインＬ501aと、集合玄関機５０１及び居室親機５０２ａ、５０２ｂ、・・・間で音声信号を送受信するための２線の音声ラインＬ501bと、集合玄関機５０１から居室親機５０２ａ、５０２ｂ、・・・に映像信号を送信するための２線の映像ラインＬ501cとが適用されている。また、制御機５０３及び居室親機５０２ａ、５０２ｂ、・・・間の配線の態様としては、集合玄関機５０１及び居室親機５０２ａ、５０２ｂ、・・・間で呼び出し等の制御用のデータ信号を送受信する２線のデータ制御ラインＬ502aと、集合玄関機５０１から居室親機５０２ａ、５０２ｂ、・・・に音声信号及び映像信号を周波数分割多重で送信するとともに、居室親機５０２ａ、５０２ｂ、・・・から集合玄関機５０１に音声信号を送信するための２線の音声／映像制御ラインＬ502bとが適用されている。
【０００４】
【非特許文献１】アイホン  ２００６−２００７年版  総合カタログ（第１３０、１３１、１４９頁等）
【発明の開示】
【発明が解決しようとする課題】
【０００５】
背景技術に記載した集合住宅インターホンシステムによれば、図３に示すように、制御機５０３及び居室親機５０２ａ、５０２ｂ、・・・間の配線の態様が、２線のデータ制御ラインＬ502aと、２線の音声／映像制御ラインＬ502bの計４線の当該ラインであるため、例えば、この集合住宅インターホンシステムを大規模なマンション等に設置する場合、当該ラインの延線に伴い配線材のコストが高くなるばかりでなく、配線スペースも大きく確保せねばならなかった。
【０００６】
本発明は、この難点を解消するためになされたもので、制御機及び居室親機間の配線の省線化が図られた集合住宅インターホンシステムを提供することを目的としている。
【課題を解決するための手段】
【０００７】
前述の目的を達成するため、本発明の第１の態様である集合住宅インターホンシステムは、集合玄関機からのデータ信号を居室親機に送信して呼び出しを報知し、呼び出しに居室親機が応答して集合玄関機との間で音声信号を送受信させて通話を成立させるとともに、集合玄関機の映像撮像部にて撮像された映像信号を居室親機に送信して映像表示部に出画させるにあたり、集合玄関機からの音声信号及び映像信号を重畳させて音声／映像重畳信号を生成し、音声／映像重畳信号と集合玄関機からのデータ信号とを、それぞれ異なる２線のデータ制御ライン、２線の音声／映像制御ラインを経由して居室親機に周波数分割多重で送信するための制御機を有する当該システムである。制御機及び居室親機間には、制御機からのデータ信号及び音声／映像重畳信号を重畳させて２線のアダプタラインを経由して居室親機に送信するための省線化アダプタが備えられている。省線化アダプタには、データ信号に音声信号／映像信号が重畳された際に発生するデータノイズ音を抑制するため、データ信号の信号レベルを居室親機で受信可能な低レベルに調整するためのデータレベル調整部を備えている。
【０００８】
また、本発明の第２の態様である集合住宅インターホンシステムは、本発明の第１の態様において、省線化アダプタは、制御機からの音声／映像重畳信号に対して高インピーダンスとなるインピーダンスアッパー部を備えている。
【０００９】
また、本発明の第３の態様である集合住宅インターホンシステムは、本発明の第１の態様又は第２の態様において、居室親機は、省線化アダプタにて２線に省線化されたデータ信号と音声／映像重畳信号とを各２線に分離するための専用の機器を用いることなく、配線を単純に分配して各２線にし、データ信号の入力部と音声／映像重畳信号の入力部とにそれぞれ接続するものである。
【００１０】
また、本発明の第４の態様である集合住宅インターホンシステムは、本発明の第１の態様乃至第３の態様において、省線化アダプタは、制御機に内蔵されるものである。
【発明の効果】
【００１１】
本発明の集合住宅インターホンシステムによれば、集合玄関機を制御機及び省線化アダプタを経由して居室親機に接続するにあたり、制御機は、集合玄関機からの音声信号及び映像信号を重畳させて音声／映像重畳信号を生成し、この音声／映像重畳信号と集合玄関機からのデータ信号とを、それぞれ異なる２線のデータ制御ライン、２線の音声／映像制御ラインを経由して居室親機に周波数分割多重で送信することができ、省線化アダプタは、制御機からのデータ信号及び音声／映像重畳信号を重畳させて２線のアダプタラインを経由して居室親機に送信するにあたり、データレベル調整部は、データ信号の信号レベルを居室親機で受信可能な低レベルに調整することができる。これにより、制御機及び居室親機間の配線が省線化されるばかりでなく、データ信号に音声信号／映像信号が重畳された際に発生するデータノイズ音を抑制することができる。
【００１２】
また、本発明の集合住宅インターホンシステムによれば、省線化アダプタのインピーダンスアッパー部は、制御機から居室親機に送信する音声／映像重畳信号に対して高インピーダンスとなるため、音声／映像重畳信号の制御機への帰還を防止することができる。
【００１３】
また、本発明の集合住宅インターホンシステムによれば、居室親機は、省線化アダプタにて２線に省線化されたデータ信号と音声／映像重畳信号とを各２線に分離するための専用の機器を用いることなく、配線を単純に分配して各２線にすることができる。
【００１４】
さらに、本発明の集合住宅インターホンシステムによれば、省線化アダプタを制御機に内蔵させることにより、当該システムを簡素化することができる。
【発明を実施するための最良の形態】
【００１５】
以下、本発明の集合住宅インターホンシステムを適用した最良の実施の形態例について、図面を参照して説明する。
【００１６】
図１は、本発明の実施例による集合住宅インターホンシステムの具体的な構成を示すブロック図である。この集合住宅インターホンシステムは、マンション等の集合住宅に設置されるものであり、集合玄関に設置される集合玄関機１と、（１０１号室、１０２号室、・・・のような）複数の住戸毎の住戸内にそれぞれ設置される居室親機２ａ、２ｂ、・・・と、集合玄関機１及び居室親機２ａ、２ｂ、・・・の間に設けられ当該システムを制御するための制御機３と、制御機３及び居室親機２ａ、２ｂ、・・・間の配線を省線化するための省線化アダプタ４とを有している。
【００１７】
この集合住宅インターホンシステムにおいて、集合玄関機１及び制御機３間は、２線のデータラインＬ1a、２線の音声ラインＬ1b、２線の映像ラインＬ1cをそれぞれ経由して接続されている。また、制御機３及び省線化アダプタ４間は、２線のデータ制御ラインＬ2a、２線の音声／映像制御ラインＬ2bをそれぞれ経由して接続されている。さらに、制御機３及び居室親機２ａ、２ｂ、・・・間は、２線のアダプタラインＬ3を経由して接続されている。
【００１８】
次に、集合玄関機１の具体的な構成について説明する。この集合玄関機１は、集合玄関に居る人物、例えば、来訪者が、複数の住戸のうち特定の住戸内に在室中の居住者を呼び出して通話を成立させるためのものであり、玄関機操作部１００、玄関機表示部１０１、玄関機通話部１０２、玄関機音声処理部１０３、映像撮像部１０４、玄関機映像処理部１０５、玄関機ＣＰＵ１０６、玄関機データＩ／Ｆ（インターフェース）１０７、玄関機音声Ｉ／Ｆ１０８及び玄関機映像Ｉ／Ｆ１０９が備えられている。
【００１９】
この集合玄関機１において、玄関機操作部１００は、玄関機ＣＰＵ１０６によって操作検出され、来訪者が特定の居住者を呼び出すための操作（呼出操作）を行うものであり、例えば、玄関機表示部１０１の前面に配置されるタッチパネル上の操作ボタンや当該集合玄関機の筐体面に設けられるテンキーボタン及び呼出ボタンで構成されている。
【００２０】
玄関機表示部１０１は、玄関機ＣＰＵ１０６によって制御され、玄関機操作部１００の操作情報を表示するためのものであり、例えば、ＬＣＤ、ＰＤＰ、有機ＥＬディスプレイ等の各種の表示媒体で構成されている。
【００２１】
玄関機通話部１０２は、来訪者が特定の居住者との間で通話を成立させるための音声（送話音声、受話音声）を入出力するものであり、例えば、マイク１２０及びスピーカ１２１で構成されている。また、玄関機音声処理部１０３は、玄関機ＣＰＵ１０６によって制御され、玄関機通話部１０２を構成するマイク１２０に入力された音声（送話音声）信号について所定の信号処理を行う例えば、ベースバンドで変調（及び増幅）を行う一方、玄関機通話部１０２を構成するスピーカ１２０から出力させる音声（受話音声）信号について所定の信号処理を行う例えば、ベースバンドで復調（及び増幅）を行うためのものである。
【００２２】
映像撮像部１０４は、玄関機ＣＰＵ１０６によって制御され、呼出操作を行った来訪者の映像や集合玄関の周囲近傍の映像を撮像するためのものであり、例えば、ＣＣＤ、ＣＭＯＳ等の各種のカメラで構成されている。また、玄関機映像処理部１０５は、玄関機ＣＰＵ１０６によって制御され、映像撮像部１０２にて撮像された映像信号について所定の信号処理を行う例えば、ＦＭ変調（及び増幅）を行うためのものである。
【００２３】
玄関機ＣＰＵ１０６は、集合玄関機１の構成各部を制御するとともに、送受信されるデータ信号について所定の信号処理を行う例えば、ＦＳＫ変復調を行うためのものである。また、玄関機データＩ／Ｆ１０７は、玄関機ＣＰＵ１０６及び２線のデータラインＬ1a間の双方向の信号伝送路を形成するためのものである。また、玄関機音声Ｉ／Ｆ１０８は、玄関機音声処理部１０３及び２線の音声ラインＬ1b間の双方向の信号伝送路を形成するためのものである。さらに、玄関機映像Ｉ／Ｆ１０９は、玄関機映像処理部１０５から２線の映像ラインＬ1cへの信号伝送路を形成するためのものである。
【００２４】
次に、居室親機２ａ、２ｂ、・・・の具体的な構成について説明する。この居室親機２ａ、２ｂ、・・・はそれぞれ、同様な構成で個別のＩＤ、例えば、居室番号が割り当てられており、集合玄関に居る来訪者からの呼び出しが報知され、この呼び出しに応答した居住者が通話を成立させるためのものであって、親機操作部２００、親機通話部２０１、親機音声処理部２０２、親機表示部２０３、親機映像処理部２０４、親機ＣＰＵ２０５、親機データＩ／Ｆ２０６、親機音声／映像多重分離部２０７、親機音声Ｉ／Ｆ２０８及び親機映像Ｉ／Ｆ２０９が備えられている。
【００２５】
この居室親機２ａ、２ｂ、・・・において、親機操作部２００は、親機ＣＰＵ２０５によって操作検出され、来訪者からの呼び出しに居住者が応答するための操作（応答操作）、成立中の通話を終了させる操作（終話操作）をそれぞれ行うものであり、例えば、親機表示部２０３の前面に配置されるタッチパネル上の操作ボタンや当該居室親機の筐体面に設けられる通話ボタンで構成されている。
【００２６】
親機通話部２０１は、居住者が来訪者との間で通話を成立させるための音声（送話音声、受話音声）信号を入出力するものであり、例えば、マイク２１０及びスピーカ２１１で構成され、このスピーカ２１１は、親機ＣＰＵ２０５によって制御され、来訪者からの呼び出しを音響出力することができる。また、親機音声処理部２０２は、親機ＣＰＵ２０５によって制御され、親機通話部２０１を構成するマイク２１０に入力された音声（送話音声）信号について所定の信号処理を行う例えば、ベースバンドで変調（及び増幅）を行う一方、親機通話部２０１を構成するスピーカ２１１から出力させる音声（受話音声）信号について所定の信号処理を行う例えば、ベースバンドで復調（及び増幅）を行うためのものである。
【００２７】
親機表示部２０３は、親機ＣＰＵ２０５によって制御され、集合玄関機１の映像撮像部１０４にて撮像された映像信号を出画するとともに、来訪者からの呼び出しがある旨の呼出情報、親機操作部２００の操作情報をそれぞれ表示するためのものであり、例えば、ＬＣＤ、ＰＤＰ、有機ＥＬディスプレイ等の各種の表示媒体で構成されている。また、親機映像処理部２０４は、親機ＣＰＵ２０５によって制御され、親機表示部２０１に出画させる映像信号について所定の信号処理を行う例えば、ＦＭ復調（及び増幅）を行うためのものである。
【００２８】
親機ＣＰＵ２０５は、居室親機２ａ、２ｂ、・・・の構成各部を制御するとともに、送受信されるデータ信号について所定の信号処理を行う例えば、ＦＳＫ変復調を行うためのものである。また、親機データＩ／Ｆ２０６は、親機ＣＰＵ２０５及び２線のアダプタラインＬ3間の双方向の信号伝送路を形成し、２線のアダプタラインＬ3を経由して省線化アダプタ４から周波数分割多重で送信されてくるデータ信号を受信するとともに、親機ＣＰＵ２０５から２線のアダプタラインＬ3にデータ信号を送信するためのものである。
【００２９】
親機音声／映像多重分離部２０７は、２線のアダプタラインＬ3を経由して省線化アダプタ４から周波数分割多重で送信されてくる音声／映像重畳信号を受信し、音声信号と映像信号とにそれぞれ分離するとともに、親機通話部２０１を構成するマイク２１０に入力された音声（送話音声）信号を２線のアダプタラインＬ3に送信するためのものである。また、親機音声Ｉ／Ｆ２０８は、親機音声処理部２０２及び親機音声／映像多重分離部２０７間の双方向の信号伝送路を形成するためのものである。さらに、親機映像Ｉ／Ｆ２０９は、親機音声／映像多重分離部２０７から親機映像処理部２０４への信号伝送路を形成するためのものである。
【００３０】
次に、制御機３の具体的な構成について説明する。この制御機３には、制御機音声処理部３００、制御機映像処理部３０１、制御機ＣＰＵ３０２、制御機音声／映像多重分離部３０３、玄関機側制御機データＩ／Ｆ３０４、アダプタ側制御機データＩ／Ｆ３０５、玄関機側制御機音声Ｉ／Ｆ３０６、アダプタ側制御機音声Ｉ／Ｆ３０７、玄関機側制御機映像Ｉ／Ｆ３０８及びアダプタ側映像Ｉ／Ｆ３０９が備えられている。
【００３１】
この制御機３において、制御機音声処理部３００は、制御機ＣＰＵ３０２によって制御され、送受信される音声（送話音声、受話音声）信号について所定の信号処理を行う例えば、増幅を行うためのものである。また、制御機映像処理部３０１は、制御機ＣＰＵ３０２によって制御され、受信される映像信号について所定の信号処理を行う例えば、増幅を行うためのものである。
【００３２】
制御機ＣＰＵ３０２は、当該制御機の構成各部を制御するとともに、送受信されるデータ信号について所定の信号処理を行う例えば、ＦＳＫ変復調を行うためのものである。また、制御機音声／映像多重分離部３０３は、制御機音声処理部３００からの音声信号及び制御機映像処理部３０１からの映像信号を重畳させて周波数分割多重で２線の音声／映像制御ラインＬ2bに送信するとともに、２線の音声／映像制御ラインＬ2bを経由して居室親機２ａ、２ｂ、・・・から送信されてくる音声信号を受信し、制御機音声処理部３００に送信するためのものである。
【００３３】
玄関機側制御機データＩ／Ｆ３０４は、制御機ＣＰＵ３０２及び２線のデータラインＬ1a間の双方向の信号伝送路を形成するためのものである。また、アダプタ側制御機データＩ／Ｆ３０５は、制御機ＣＰＵ３０２及び２線のデータ制御ラインＬ2a間の双方向の信号伝送路を形成するためのものである。また、玄関機側制御機音声Ｉ／Ｆ３０６は、制御機音声処理部３００及び２線の音声ラインＬ1b間の双方向の信号伝送路を形成するためのものである。また、アダプタ側制御機音声Ｉ／Ｆ３０７は、制御機音声処理部３００及び制御機音声／映像多重分離部３０３間の双方向の信号伝送路を形成するためのものである。また、玄関機側制御機映像Ｉ／Ｆ３０６は、２線の映像ラインＬ1cから制御機映像処理部３０１への信号伝送路を形成するためのものである。さらに、アダプタ側制御機映像Ｉ／Ｆ３０７は、制御機映像処理部３０１から制御機音声／映像多重分離部３０３への信号伝送路を形成するためのものである。
【００３４】
次に、省線化アダプタ４の具体的な構成について説明する。この省線化アダプタ４には、データレベル調整部４００、インピーダンスアッパー部４０１が備えられている。
【００３５】
この省線化アダプタ４において、データレベル調整部４００は、２線のデータ制御ラインＬ2aを経由して制御機３から周波数分割多重で送信されてくるデータ信号に音声信号／映像信号が重畳した際に発生するデータノイズ音を抑制するにあたり、データ信号の信号レベルを居室親機２ａ、２ｂ、・・・にて受信可能な低レベルに調整するためのものである。また、インピーダンスアッパー部４０１は、２線の音声／映像制御ラインＬ2bを経由して制御機３から周波数分割多重で送信されてくる音声／映像重畳信号に対して高インピーダンスとなるものであり、音声信号の周波数帯域、例えば、５０Ｈｚ〜１０ｋＨｚ用の音声周波数帯域用アッパー回路４１０と、映像信号の周波数帯域、例えば、６ＭＨｚ〜１８ＭＨｚ用の映像周波数帯域用アッパー回路４１１とが、データレベル調整部４００から２線のアダプタラインＬ3への間に直列接続されている。なお、データレベル調整部４００から２線のアダプタラインＬ3への接続の態様としては、図１に示すような音声周波数帯域用アッパー回路４１０、映像周波数帯域用アッパー回路４１１の順路による接続に限定されるものではなく、例えば、図示しない映像周波数帯域用アッパー回路４１１、音声周波数帯域用アッパー回路４１０の順路による接続も好適とされる。
【００３６】
このように構成された本発明の実施例による集合住宅インターホンシステムにおいて、以下、具体的な動作について、図１のブロック図及び図２（Ａ）、（Ｂ）の電圧／周波数特性図をそれぞれ参照して説明する。なお、図２（Ａ）、（Ｂ）はそれぞれ、本発明の実施例において適用されるデータ信号、音声（送話音声、受話音声）信号及び映像信号について、これら各信号の電圧レベル及び周波数の関係を示すものである。
【００３７】
図１に示す集合住宅インターホンシステムにおいて、集合玄関に居る来訪者が特定の居住者を呼び出す、ここでは、居室親機２ａ、２ｂ、・・・のうち居室親機２ａが設置された住戸内に在室中の居住者を呼び出すにあたり、集合玄関機１の玄関機表示部１０１に表示されている操作情報を参照し、呼出先の居室親機２ａに予め割り当てられた居室番号について、玄関機操作部１００を使用して入力するような所定の呼出操作を行うと、この操作を検出した玄関機ＣＰＵ１０６は、図２（Ａ）に示す電圧／周波数特性の（呼出用の）データ信号Ｓ1を生成するとともに、玄関機通話部１０３が能動となるように制御して、玄関機通話部１０２を構成するマイク１２０及びスピーカ１２１と玄関機音声Ｉ／Ｆ１０８との間の信号伝送路を形成し、さらには、映像撮像部１０４及び玄関機映像処理部１０５がそれぞれ能動となるように制御することができる。
【００３８】
また、集合玄関機１の玄関機ＣＰＵ１０６にて生成されたデータ信号Ｓ1は、所定の信号処理、例えば、ＦＳＫ変調が行われた後、玄関機データＩ／Ｆ１０７、２線のデータラインＬ1a、制御機３の玄関機側制御機データＩ／Ｆ３０４を経由して制御機ＣＰＵ３０２に送信される。このデータ信号Ｓ1を受信して所定の信号処理、例えば、ＦＳＫ復調を行った制御機ＣＰＵ３０２は、集合玄関機１から居室親機２ａへの呼び出しがあることを検出し、制御機音声処理部３００、制御機映像処理部３０１及び制御機音声／映像多重分離部３０３がそれぞれ能動となるように制御するとともに、受信したデータ信号Ｓ1について例えば、ＦＳＫ変調を行った後、アダプタ側制御機データＩ／Ｆ３０５、２線のデータ制御ラインＬ2aを経由して省線化アダプタ４のデータレベル調整部４００に送信することができる。
【００３９】
また、集合玄関機１の玄関機通話部１０２を構成する子機マイク１２０に入力された来訪者の音声（送話音声）は、玄関機音声処理部１０３にて所定の信号処理、例えば、ベースバンドで変調（及び増幅）された図２（Ａ）、（Ｂ）にそれぞれ示す電圧／周波数特性の音声信号Ｓ2として、玄関機音声Ｉ／Ｆ１０８、２線の音声ラインＬ1b、制御機３の玄関機側制御機音声Ｉ／Ｆ３０６を経由して制御機音声処理部３００に送信され、この制御機音声処理部３００にて所定の信号処理、例えば、増幅された後、アダプタ側制御機音声Ｉ／Ｆ３０７を経由して制御機音声／映像多重分離部３０３に伝送される。
【００４０】
さらに、集合玄関機１の映像撮像部１０４にて撮像された来訪者の映像や集合玄関の周囲近傍の映像は、玄関機映像処理部１０５にて所定の信号処理、例えば、ＦＭ変調（及び増幅）された図２（Ａ）、（Ｂ）にそれぞれ示す電圧／周波数特性の映像信号Ｓ3として、玄関機映像Ｉ／Ｆ１０９、２線の映像ラインＬ1c、制御機３の玄関機側制御機映像Ｉ／Ｆ３０８を経由して制御機映像処理部３０１に送信され、この制御機映像処理部３０１にて所定の信号処理、例えば、増幅された後、アダプタ側制御機映像Ｉ／Ｆ３０９を経由して制御機音声／映像多重分離部３０３に伝送される。
【００４１】
ここで、制御機３の制御機音声／映像多重分離部３０３は、受信した音声信号Ｓ2及び映像信号Ｓ3を周波数分割多重で重畳させた音声／映像重畳信号Ｓ4を生成した後、２線の音声／映像制御ラインＬ2bに送信することができる。
【００４２】
省線化アダプタ４のデータレベル調整部４００は、２線のデータ制御ラインＬ2aを経由して制御機３から受信したデータ信号Ｓ1の信号レベル、ここでは、図２（Ａ）に示す電圧レベルＶ1を、居室親機２ａ、２ｂ、・・・にて受信可能な低レベル、例えば、アダプタラインＬ3の線路長や当該居室親機の台数、すなわち、住戸数等の当該システムの設置環境に対応させて調整する、ここでは、図２（Ｂ）に示す電圧レベルＶ2（≒Ｖ1／２）に電圧降下させることができる。これにより、データ信号Ｓ1に音声／映像信重畳号Ｓ4が重畳した際に発生する例えば、５〜１０ｋＨｚの所定の周波数帯域におけるデータノイズ音を、図２（Ｂ）に示すように抑制することができ、このレベル調整されたデータ信号Ｓ1aは、インピーダンスアッパー部４０１を経由して２線のアダプタラインＬ3に送信されることになる。
【００４３】
また、省線化アダプタ４のインピーダンスアッパー部４００において、直列接続された音声周波数帯域用アッパー回路４１０及び映像周波数帯域用アッパー回路４１１のうち、音声周波数帯域用アッパー回路４１０は、２線の音声／映像制御ラインＬ2bを経由して制御機３から周波数分割多重で送信されてくる音声／映像重畳信号Ｓ4に対して例えば、５０Ｈｚ〜１０ｋＨｚの周波数帯域で高インピーダンスとなり、一方、映像周波数帯域用アッパー回路４１１は、同様な音声／映像重畳信号Ｓ4に対して例えば、６ＭＨｚ〜１８ＭＨｚの周波数帯域で高インピーダンスとなるため、この音声／映像重畳信号Ｓ4は、データレベル調整部４００、２線のデータ制御ラインＬ2aを経由して制御機３に帰還されることはなく、データレベル調整部４００からのデータ信号Ｓ1aに周波数分割多重で重畳されて２線のアダプタラインＬ3に送信されることになる。
【００４４】
居室親機２ａ、２ｂ、・・・はそれぞれ、省線化アダプタ４にて２線に省線化された後、２線のアダプタラインＬ3を経由して周波数分割多重で重畳されて送信されてくるデータ信号Ｓ1a及び音声／映像重畳信号Ｓ4のうち、データ信号Ｓ1aの信号レベルが前述のように当該居室親機にて受信可能な低レベルであるため、データ信号Ｓ1aと音声／映像重畳信号Ｓ4とを各２線に分離するための専用の機器を用いることなく、配線を単純に分配して各２線にし、データ信号Ｓ1aの入力部である親機データＩ／Ｆ２０６と、音声／映像重畳信号Ｓ4の入力部である親機音声／映像多重分離部２０７とにそれぞれ接続することができる。
【００４５】
また、居室親機２ａ、２ｂ、・・・の親機ＣＰＵ２０５は、親機データＩ／Ｆ２０６を経由して受信したデータ信号Ｓ1aについて所定の信号処理、例えば、ＦＳＫ復調を行った後、このデータ信号Ｓ1aに付加されている居室番号と、自親機に予め割り当てられてる居室番号とを照合し、当該居室番号が一致した場合にのみ、集合玄関に居る来訪者からの呼び出しがあることを検出し、その旨の呼出音や音声メッセージ等を、親機通話部２０１を構成するスピーカ２１１から音響出力させて呼出報知を行うことができる。ここでは、呼出先である居室親機２ａの親機ＣＰＵ２０５のみ当該居室番号が一致し、この親機ＣＰＵ２０５は、前述の音響出力による呼出報知と、親機音声処理部２０２、映像表示部２０３、親機映像処理部２０４及び親機音声／映像多重分離部２０７がそれぞれ能動となるように制御することができ、映像表示部２０３には、来訪者からの呼び出しがあることを示す文字メッセージや絵データ等を表示させることもできる。
【００４６】
この居室親機２ａの親機音声／映像多重分離部２０７は、２線のアダプタラインＬ3を経由して制御機３から周波数分割多重で送信されてきた音声／映像重畳信号Ｓ4を、音声信号Ｓ2と映像信号Ｓ3とに分離し、音声信号Ｓ2は、親機音声Ｉ／Ｆ２０８を経由して親機音声処理部２０２に送信する一方、映像信号Ｓ3は、親機映像Ｉ／Ｆ２０９を経由して親機映像処理部２０４に送信することができる。
【００４７】
また、居室親機２ａの親機音声処理部２０２は、受信した音声信号Ｓ2について所定の信号処理、例えば、ベースバンドで復調（及び増幅）を行った後、親機通話部２０１を構成するスピーカ２１１に送信することにより、集合玄関機１の玄関機通話部１０２を構成するマイク１２０に入力された来訪者の音声（送話音声）を受話音声として、スピーカ２１１から出力させることができる。
【００４８】
さらに、居室親機２ａの親機映像処理部２０４は、受信した映像信号Ｓ3について所定の信号処理、例えば、ＦＭ復調（及び増幅）を行った後、映像表示部２０３に送信することにより、集合玄関機１の映像撮像部１０４にて撮像された来訪者の映像や集合玄関の周囲環境の映像を、映像表示部２０３に出画させることができる。
【００４９】
なお、居室親機２ａの親機通話部２０１を構成する親機マイク２１０に入力される居住者の音声（送話音声）は、親機音声処理部２０２にて所定の信号処理、例えば、ベースバンドで変調（及び増幅）された音声信号Ｓ5として、親機音声Ｉ／Ｆ２０８、親機音声／映像多重分離部２０７、２線のアダプタラインＬ3、（省線化アダプタ４）、２線の音声映像制御ラインＬ2b、制御機３の制御機音声／映像多重分離部３０３、アダプタ側制御機音声Ｉ／Ｆ３０７、制御機音声処理部３００、玄関機側制御機音声Ｉ／Ｆ３０６、２線の音声ラインＬ1b、集合玄関機１の玄関機音声Ｉ／Ｆ１０８を経由して玄関機側音声処理部１０３に送信され、この玄関機音声処理部１０３にて所定の信号処理、例えば、ベースバンドで復調（及び増幅）が行われた後、玄関機通話部１０２を構成するスピーカ１２１に伝送されることにより、居室親機２ａの親機通話部２０１を構成するマイク１２０に入力された居住者の音声（送話音声）を受話音声として、スピーカ１２１から出力させることができる。
【００５０】
前述までの説明から明らかなように、本発明の実施例による集合住宅インターホンシステムにおいては、その構成として、制御機３及び省線化アダプタ４をそれぞれ独立して設けた当該システムについて説明したが、この態様に限定されるものではない。例えば、省線化アダプタ４を制御機３に内蔵する、すなわち、省線化アダプタ４のデータレベル調整部４００及びインピーダンスアッパー部４０１をそれぞれ、制御機３の構成部として当該制御機に備える態様であってもよく、この態様によれば、当該システムを簡素化することができる。
【００５１】
また、本発明の集合住宅インターホンシステムによれば、特定の実施の形態をもって説明してきたが、この形態に限定されるものでなく、本発明の効果を奏する限り、これまで知られた如何なる構成の当該システムであっても採用できるということはいうまでもないことである。
【図面の簡単な説明】
【００５２】
【図１】図１は、本発明の実施例による集合住宅インターホンシステムの具体的な構成を示すブロック図である。
【図２】図２（Ａ）、（Ｂ）はそれぞれ、本発明の実施例による集合住宅インターホンシステムにおいて適用されるデータ信号、音声（送話音声、受話音声）信号及び映像信号について、これら各信号の電圧レベル及び周波数の関係を示す電圧／周波数特性図である。
【図３】図３は、従来例による集合住宅インターホンシステムの構成を示すブロック図である。
【符号の説明】
【００５３】
１……集合玄関機
１０４……映像撮像部
２ａ、２ｂ、・・・……居室親機
２０３……映像表示部
３……制御機
４……省線化アダプタ
４００……データレベル調整部
４０１……インピーダンスアッパー部
Ｌ2a……２線のデータ制御ライン
Ｌ2b……２線の映像／音声制御ライン
Ｌ3……２線のアダプタライン
【図１】
2010035102.tif 000003
【図２】
2010035102.tif 000004
【図３】
2010035102.tif 000005